(57)【特許請求の範囲】
【請求項１】
カメラ部と、当該カメラ部により撮影された第１の画像情報を画像処理して、第２の画像情報を生成する信号処理部と、前記第２の画像情報を記憶する記憶部と、通信部と、を有し、
前記第２の画像情報を筐体の複数の面領域に配設された筐体面領域表示部に表示可能であり、
前記カメラ部により撮影された第１の画像情報に基づき生成され、前記筐体面領域表示部に表示された前記第２の画像情報を、前記通信部の通信状況または待ち受け状況に応じて変化させる、
携帯電子機器。
【請求項２】
カメラ部と、当該カメラ部により撮影された第１の画像情報を画像処理して、第２の画像情報を生成する信号処理部と、前記第２の画像情報を記憶する記憶部と、を有し、
前記第２の画像情報を筐体の複数の面領域に配設された筐体面領域表示部に表示可能であり、
前記記憶部は、外部環境に対応した表示モードを記憶しており、
前記カメラ部は自動的に前記筐体の外部画像を撮影し、
前記信号処理部は、
前記外部環境画像を画像処理して外部環境を特定し、
前記記憶部が記憶している外部環境に対応した表示モードを選択し、
前記表示モードに応じた前記第２の画像情報を生成し、
前記筐体面領域表示部は、前記表示モードに応じた前記第２の画像情報を表示する、
携帯電子機器。
【請求項３】
カメラ部と、当該カメラ部により撮影された第１の画像情報を画像処理して、第２の画像情報を生成する信号処理部と、前記第２の画像情報を記憶する記憶部と、光センサと、を有し、
前記第２の画像情報を筐体の複数の面領域に配設された筐体面領域表示部に表示可能であり、
前記信号処理部は、前記光センサの検出結果に基づき前記第２の画像情報を表示するか否かを制御する、
携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。特に、本発明はこれらの携帯電子機器のうちカメラ部を有するものに関する。
【背景技術】
【０００２】
特許文献１には、ケースの操作及び表示パネル面に取り付けられた液晶表示部が表示する画像のデザインを外部のセンタからダウンロードして、液晶表示部の表示をダウンロードした画像に変更する表示変更手段を有する携帯電子機器が開示されている。
【先行技術文献】
【特許文献】
【０００３】
【特許文献１】特開２００３―６１１３９号公報
【発明の概要】
【発明が解決しようとする課題】
【０００４】
しかしながら、特許文献１に記載の方法においては、デザインを外部からダウンロードする場合には、必ずしも適切なデザインの画像が存在するとは限らず絵柄の柔軟性が欠如してしまう。
また、センタからダウンロードするにはデータ通信が不可欠であり、通信コストが増加してしまう。
さらに、通信機能を有する携帯電子機器でなくてはデザインの変更ができない。
【０００５】
本発明の目的は、データ通信を行うことなく、デザインの変更が可能となる携帯電子機器を提供することにある。
【課題を解決するための手段】
【０００６】
本発明の携帯電子機器は、カメラ部と、当該カメラ部により撮影された第１の画像情報を画像処理して、第２の画像情報を生成する信号処理部と、前記第２の画像情報を記憶する記憶部と、通信部と、を有し、前記第２の画像情報を筐体の複数の面領域に配設された筐体面領域表示部に表示可能であり、前記カメラ部により撮影された第１の画像情報に基づき生成され、前記筐体面領域表示部に表示された前記第２の画像情報を、前記通信部の通信状況または待ち受け状況に応じて変化させる。
【０００９】
本発明の他の携帯電子機器は、カメラ部と、当該カメラ部により撮影された第１の画像情報を画像処理して、第２の画像情報を生成する信号処理部と、前記第２の画像情報を記憶する記憶部と、を有し、前記第２の画像情報を筐体の複数の面領域に配設された筐体面領域表示部に表示可能であり、前記記憶部は、外部環境に対応した表示モードを記憶しており、前記カメラ部は自動的に前記筐体の外部画像を撮影し、前記信号処理部は、前記外部環境画像を画像処理して外部環境を特定し、前記記憶部が記憶している外部環境に対応した表示モードを選択し、前記表示モードに応じた前記第２の画像情報を生成し、前記筐体面領域表示部は、前記表示モードに応じた前記第２の画像情報を表示する。
【００１２】
本発明の他の携帯電子機器は、カメラ部と、当該カメラ部により撮影された第１の画像情報を画像処理して、第２の画像情報を生成する信号処理部と、前記第２の画像情報を記憶する記憶部と、光センサと、を有し、前記第２の画像情報を筐体の複数の面領域に配設された筐体面領域表示部に表示可能であり、前記信号処理部は、前記光センサの検出結果に基づき前記第２の画像情報を表示するか否かを制御する。
【発明の効果】
【００１５】
本発明によると、データ通信を行うことなく、デザインの変更が可能となる携帯電子機器を提供することができる。
【図面の簡単な説明】
【００１６】
【図１】本発明の実施形態に係る携帯電話機の外観を示す説明図である。
【図２】筐体の内部に配設されるＬＥＤアレイの説明図である。
【図３】図２のＬＥＤアレイの拡大図である。
【図４】図１のＩＶ−ＩＶ断面の説明図である。
【図５】本発明の実施形態を表す説明図である。
【図６】携帯電話機の構成を示すブロック図である。
【図７】本実施例のデータ処理を説明するフローチャートである。
【図８】第１の変形例の説明図である。
【図９】図８で示された処理を具体化するフローチャートの一例である。
【図１０】第２の変形例の説明するブロック図である。
【図１１】第３の変形例の説明図である。
【図１２】第４の変形例の説明図するフローチャートである。
【発明を実施するための形態】
【００１７】
図１は、本発明の実施形態に係る携帯電話機１の外観を示す説明図である。
【００１８】
携帯電話機１は、非折り畳み式の携帯電話機１として構成されている。
携帯電話機１は入力部１０及び表示部８が形成されているフロントケース６と、反対側部分を構成するリアケース７とを有している。以下、フロントケース６とリアケース７とをあわせて筐体２という。
【００１９】
フロントケース６及びリアケース７はネジ等により互いに固定され、フロントケース６及びリアケース７の間に形成された空間に種々の電子部材を収容する収容空間が構成される。
フロントケース６及びリアケース７は、透明又は半透明に構成されており、筐体２の内部に配設される不図示のＬＥＤアレイ６１が出射した光を筐体２の外部に透過させることができるように構成される。
フロントケース６、リアケース７は、例えば、透明又は半透明の樹脂により形成されている。
【００２０】
入力部１０には、複数の入力キーが配置されており、ユーザはこの入力キーを押圧することによって携帯電話機１に命令・入力を行う。
なお、入力部１０は図１ではフロントケース６の表面にのみ配置されているが、筐体２の右側面１１、左側面１２等に配置されているサイドキー等も含まれる。
【００２１】
表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２２】
なお、方向を示すときは、リアケース７からフロントケース６に向かう方向を表面方向（図１（ａ）においては、紙面手前の方向）といい、フロントケース６からリアケース７に向かう方向を裏面方向（図１（ａ）においては、紙面奥手の方向）という。
【００２３】
図１（ｃ）のように、リアケース７にはカメラ部１３が配置されている。
このカメラ部１３は、ユーザの操作により又は自動的に外部の映像を撮影することが可能となっている。
【００２４】
図２は、筐体２の内部に配設されるＬＥＤアレイ６１の説明図である。
【００２５】
図２の様な形状の、ＬＥＤアレイ６１が携帯電話機１の筐体２内部に配設されている。
もっとも、図２ではＬＥＤアレイ６１は筐体２の６面すべてに対して設けられているが、必ずしもすべてである必要はなく、必要な面のみにＬＥＤアレイ６１が配設されていればよい。
【００２６】
図３は、図２のＬＥＤアレイ６１の拡大図である。
【００２７】
図３のように、ＬＥＤアレイ６１は、ＬＥＤ１６（Light Emitting Diode:発光ダイオード）と抵抗１５によって構成されている。この３個のＬＥＤ１６と抵抗１５が一つの最小単位として表示を行っている。
ＬＥＤ１６は、赤、緑、青のダイオードから構成されており、任意の色の光を生成することが可能である。
なお、本実施形態ではＬＥＤアレイ６１が、筐体２の表面前面に形成される表示装置であるが、必ずしもこれに限定する趣旨ではない。例えば、ＯＬＥＤで形成されていてもよいしこれ以外の別の表示装置であってもよい。
【００２８】
図４は、図１のＩＶ−ＩＶ断面の説明図である。
【００２９】
図４の様に、フロントケース６とリアケース７とが、その内面どうしを対向させて結合している。
そして、それによって形成される内部空間に、内部筐体２０が配置されている。内部筐体２０の裏面方向には、バッテリ収納部２８が形成されている。
そして、このバッテリ収納部２８に着脱可能なバッテリ２２が配置されている。このバッテリ２２は携帯電話機１に電力を供給している。
さらに、裏面方向には、バッテリ２２を交換可能とするためにバッテリカバー２３が配置されている。
【００３０】
内部筐体２０の表面方向には、スイッチ２６が実装されるプリント基板２１が配置されている。このプリント基板２１には、発光部２７が実装されている。
発光部２７は、例えば、ＬＥＤによって構成されている。
【００３１】
スイッチ２６は、例えば、固定接点２５と、ドーム状の板金であるメタルドーム２４により構成されている。メタルドーム２４は固定接点２５を覆っている。
ユーザがキートップ３０を押圧すると、それにともないラバーベース３１が弾性変形する。さらに、そのラバーベース３１の弾性変形によって、ラバーベース３１がメタルドーム２４の頭頂部を押圧する。
それによって、メタルドーム２４も弾性変形をおこす、その変形量が一定程度を超えると、メタルドーム２４の一部が凹んで反対側に凸となる。
これによって、メタルドーム２４はクリック感を生じつつ固定接点２５に当接する。
メタルドーム２４と固定接点２５が当接することによって電流が流れ、この電流の流れを信号処理部５７が検出する。そして、このことによって、ユーザによるキートップ３０の押しこみ、つまり、ユーザによるキー入力操作を検出する。
【００３２】
プリント基板２１の表面方向にはキーシート３２が配置されている。キーシート３２はユーザが押圧を行う部分である複数のキートップ３０と、前記複数のキートップ３０が接着されるラバーベース３１から成っている。
ラバーベース３１は、例えば、透明又は半透明で容易に撓むシリコン樹脂等で構成する。
一方、キートップ３０は、透明又は半透明で比較的強度の高いプラスチック等で構成する。
また、キートップ３０にはそのキートップ３０を押圧することによって入力される内容であるキー図形が形成（印刷等）されている。
なお、キートップ３０とラバーベース３１とは必ずしも別体で構成する必要はなく、一体的に構成してもよい。
【００３３】
フロントケース６には、キートップ３０が挿入（配設）されるための複数のキー開口部３５が形成されている。
【００３４】
キーシート３２とプリント基板２１のスイッチ２６との間には、導光シート３３が配置されている。
この導光シート３３は、発光部２７からの光を受光し、導光してキートップ３０側に光を照射する。
【００３５】
図４のように、フロントケース６及びリアケース７は透明又は半透明に形成されており、その内部に、ＬＥＤアレイ６１が配置されている。
その結果、ＬＥＤアレイ６１から出射された光は、筐体２を透過して外部に出射される。
そのため、ＬＥＤアレイ６１に一定の画像を表示させると、携帯電話機１自体がその画像のデザインが施されているのと同じ状態になる。
【００３６】
図５は、本発明の実施形態を表す説明図である。
【００３７】
図５（ａ）のように、一定の図形、模様、絵等を有する画像を、カメラ部１３によって撮影する。なお、図５（ａ）の例ではネクタイの模様を撮影した例を記載している。
そして、図６で説明する信号処理部５７は、その画像情報に対して映像処理を行う。具体的には、画像情報について特徴部分を抽出し、それを等間隔に配置した基本となる画像情報を生成する（図５（ｂ）の画像情報）。
なお、この基本となる画像情報は、複数個を縦又は横に連続して配置しても継ぎ目が分からなくなるように形成することが望ましい。
そして、この基本となる画像情報は、図６で説明するＬＥＤアレイドライバ回路６０に伝達される。
これを受けたＬＥＤアレイドライバ回路６０は、各面に配置されているＬＥＤアレイ６１の大きさ・形状に合致するように処理して図５（ｃ）のようにＬＥＤアレイ６１に画像を表示させる。
なお、前述した具体的な処理において、画像情報について特徴部分を抽出し、それを等間隔に配置した基本となる画像情報を生成しているが、必ずしもこのような処理に限定されるわけではなく、その他の処理を行っていてもよい。たとえば、単に撮影画像を拡大してそのまま利用することも可能である。
【００３８】
また、基本となる画像情報をそのままＬＥＤアレイドライバ回路６０に送っているが、その前に、ユーザに示して、ユーザによる各種加工を受けることも可能である。
さらに、ＬＥＤアレイ６１に表示後にユーザによる変更を受け付けることも可能である。
【００３９】
図６は、携帯電話機１の構成を示すブロック図である。
【００４０】
図６に示されるように、携帯電話機１は、制御・処理の中枢である制御部５９と、信号処理部５９と、電源制御部５０と、通信部５１と、入力部１０と、音声入出力部５３と、表示部８と、カメラ部１３と、記憶部５６と、ＬＥＤアレイドライバ回路６０のそれぞれが、アドレス、データ、コントロールのためのラインが複数本からなるシステムバス５８に共通に接続され、構成される。
【００４１】
電源制御部５０は、携帯電話機１が携帯して使用されている場合には、携帯電話機１内の、表示部８、信号処理部５７及び制御部５９等が実装される回路基板等への電力の供給を制御している。
【００４２】
通信部５１は、無線通信システムを捕捉し、通信ネットワークに接続される基地局との間で無線通信を行い、各種データの送受信を行う。各種データとは、Ｗｅｂ上のダウンロードサイトからダウンロードされる、ファイルのデータ、音声通話時の音声データ、メール送受信時のメールデータ、ウェブ閲覧時のウェブページデータ、等である。
先行技術文献においては、Ｗｅｂ上のダウンロードサイトから筐体に表示される画像情報がダウンロードされていた。
【００４３】
入力部１０は、フロントケース６上の各種キー及びその他の部分から入力されるユーザの指示を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５９に出力する。
【００４４】
音声入出力部５３は、スピーカから出力される音声信号やマイクロフォンにおいて入力される音声信号の入出力処理を行う。
すなわち、音声入出力部５３は、マイクロフォンから入力された音声を増幅し、アナログ／デジタル変換を行い、更に符号化等の信号処理を施し、デジタルの音声データに変換して通信部５１に出力する。
また、音声入出力部５３は、通信部５１から供給される音声データに復号化、デジタル／アナログ変換、増幅等の信号処理を施し、アナログの音声信号に変換してスピーカに出力する。
【００４５】
表示部８は、例えばＬＣＤやＯＬＥＤを用いて構成されており、信号処理部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
【００４６】
カメラ部１３は、ＣＣＤ（Charge Coupled Device）やＣＭＯＳ（Complementary Metal Oxide Semiconductor）イメージセンサ等の光電変換素子とその制御回路等により構成されるカメラである。
カメラ部１３には、焦点距離を合わせるための機械的又は電気的部品が配置されていてもよい。
カメラ部１３は、ユーザによる操作によって又は自動的に画像を撮影して、画像情報信号を信号処理部５７に出力する。
【００４７】
記憶部５６では、携帯電話機１の各種処理に利用される各種データを記憶する。記憶部５６は、例えば信号処理部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
また、記憶部５６ではＬＥＤアレイ６１が表示する基本となる画像情報を記憶する。
なお、後述する第１の変形例及び第３の変形例においては、処理設定テーブルも記憶部５６は記憶している。
【００４８】
なお、記憶部５６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ、フラッシュメモリ）などによって構成される。
【００４９】
ＬＥＤアレイドライバ回路６０は、ＬＥＤアレイ６１が表示する画像を制御する回路である。
具体的には、信号処理部５７から送られてくる基本となる画像情報を筐体２の各面に配置されているＬＥＤアレイ６１の大きさ・形状に応じて複数連続して表示させたり、拡大、縮小、等をおこなう。
【００５０】
制御部５９は、携帯電話機１の全体的な動作を統括的に制御する。
すなわち、制御部５９は、携帯電話機１の各種処理（回線交換網を介して行われる音声通話、電子メールの作成と送受信、インターネットのＷｅｂ上のダウンロードサイトの閲覧など）が入力部１０の操作に応じて適切な手順で実行されるように、上述した各ブロックの動作（通信部５１における信号の送受信、表示部８における画像の表示、カメラ部１３における撮像処理等）を制御する。
さらに、制御部５９は、記憶部５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部５９は、記憶部５６に格納されるオペレーティングシステムやアプリケーションプログラム等のプログラムから命令コードを順次受け取って処理を実行する。
【００５１】
また、信号処理部５７は、カメラ部１３が撮影した画像情報に対して映像処理を行う。具体的には、画像情報について特徴部分を抽出し、それを等間隔に配置した基本となる画像情報を生成する（図５（ｂ）を参照）。
なお、この基本となる画像情報は、複数個を縦又は横に連続して配置しても継ぎ目が分からなくなるように形成することが望ましい。
また、信号処理部５７は、ＬＥＤアレイ６１の特性に応じて基本となる画像情報を画像処理する。
具体的には、ＬＥＤアレイ６１においてもとの画像のまま表示してしまうと、見え辛くなってしまう場合には一定の協調処理を行う。他にも、ＬＥＤアレイ６１の解像度がカメラ部１３において撮影された画像情報よりも低い場合には、ＬＥＤアレイ６１に表示するのに適切な画像情報に処理を行う。
なお、制御部５９は、後述する第１の変形例及び第３の変形例においては、記憶部５６が記憶している処理設定テーブルの条件に該当するか否かを判断し、該当すると判断した場合にはＬＥＤアレイ６１に一定の表示をするように指示する。
【００５２】
図７は、本実施例のデータ処理を説明するフローチャートである。
【００５３】
ステップＳＴ０１において、カメラ部１３によって画像が撮影される。
【００５４】
そして、ステップＳＴ０２において、信号処理部５７はカメラ部１３によって撮影された画像情報信号に対して画像処理を行って基本となる画像情報を生成する。
【００５５】
その基本となる画像情報は、ステップＳＴ０３において、表示部８に表示される。
ステップＳＴ０４において、ユーザは表示部８に表示されている基本となる画像情報を確認し必要であればこれを修正する。
【００５６】
ステップＳＴ０５において、ユーザによる修正があるか否か判断し、修正がある場合には、再度そのユーザの入力情報に基づいて基本となる画像情報を作成するステップＳＴ０２に移行する。
一方、ユーザによる修正がない場合には、ステップＳＴ０６の処理に移行する。
【００５７】
ステップＳＴ０６において、ＬＥＤアレイドライバ回路６０は、基本となる画像情報に基づいて筐体２の内部に配設されるＬＥＤアレイ６１に画像を表示させる。
【００５８】
ステップＳＴ０７において、ユーザは実際に筐体２に表示されている画像を認識し、必要があれば修正を加える。
【００５９】
ステップＳＴ０８において、ユーザによる修正の有無を確認する。
そして、ユーザによる修正がある場合には、再度ステップＳＴ０２の処理に移行する。
一方、ユーザによる修正がない場合には、ステップＳＴ０９の処理に移行する。
【００６０】
ステップＳＴ０９において、処理終了の有無を判定する。
そして、これで良いとのユーザの入力がある場合には、処理を終了する。
一方、再度やり直したいとのユーザによる入力がある場合にはステップＳＴ０１に戻ってやり直す。
【００６１】
以上の方法によると、ユーザはネットでダウンロードして必要な画像情報を得なくても筐体２のデザインを変更することができる。
そしてそのことは、ダウンロードする各種のコスト（料金、時間、通信インフラの消費）等を低減することができる。
また、ダウンロードする場合には一定の画像情報しか選択できず、必ずしもユーザが望む画像を得ることはできないが、本実施例の方法においては、ユーザは望む画像を携帯電話機１のデザインとすることができる。
さらに、カメラ部１３において撮影した画像を携帯電話機１のデザインとすることができるのであるから、ユーザの持ち物との色や模様を合致させることが極めて容易になる。
さらに、従来は携帯電話機１のデザインを変更するにはフロントケース６及びリアケース７を変更する必要があったが、このような面倒な手間を掛けずに携帯電話機１のデザインを変更することができる。
【００６２】
また、光センサ１４（図１参照のこと）によって検出された周りの明るさに応じて、ＬＥＤアレイ６１によって筐体２に表示される画像を変化させることも可能である。
たとえば、明るい場所では筐体２に表示される画像の光量を増加させる。
【００６３】
さらに、ＬＥＤアレイ６１によって筐体２に表示される画像を常に表示する常時表示モードと間欠的に表示する間欠表示モードとを有していてもよい。
【００６４】
＜第１の変形例＞
上記の実施形態では、ユーザが自発的に撮影した画像を携帯電話機１のデザインとしていたが、本発明はこれにとどまるものではない。
つまり、本発明を上位概念でとらえると、本発明はカメラ部１３が撮影した画像情報に基づいて、携帯電話機１のデザインを変更するというものである。
以下、第１の変形例について記載する。
【００６５】
図８は、第１の変形例の説明図である。
【００６６】
携帯電話機１は記憶部５６に図８で示される処理設定テーブルを有する。
そして、信号処理部５７はカメラ部１３の画像状況を処理することによってモード選択をおこなう。
ここで、カメラ部１３はユーザの操作によらず、自動的（例えば１０分おき）に画像を撮影することが望ましい。
そして、そのモードにおけるＬＥＤアレイ６１の表示のＯＮ／ＯＦＦ、及び、アレイの状況を、処理設定テーブルから選び出す。
そして、選び出されたＬＥＤアレイ６１の表示のＯＮ／ＯＦＦ、及び、アレイの状況に基づいて、ＬＥＤアレイ６１に表示する画像情報を作成する。
【００６７】
具体的例を説明する。
「寝室モード」
寝室が畳の部屋であればこの畳の画像情報から寝室にいることを検出して、寝室モードに移行する。
そして、寝室においては、携帯電話機１は目立たない方が良いのであるからＬＥＤアレイ６１を点灯させない。
【００６８】
「職場モード」
職場において机の上などに携帯電話機１を置く場合には、携帯電話機１は目立たない方が良い場合もあるのであるから、この場合には、ＬＥＤアレイ６１の表示をＯＮとする。
さらにＬＥＤアレイ６１に表示される画像は、周りの色・模様等と同一となるようにするステルスモードとする。
なお、ステルスモード時に表示される画像は、前もって決定していてもよいし、カメラ部１３が自動撮影した画像情報を処理した画像であってもよい。
【００６９】
「居間モード」
居間においては、携帯電話機１の置き場所が分からなくなる場合が多いことから、補色モードとして、筐体２が表示する色・模様を周りの色と正反対となるようにする。
これによって、携帯電話機１を探す手間が省けるという利点が生ずる。
【００７０】
「ネオンモード」
ネオンが周りにある環境などにおいては、携帯電話機１も同じくネオン色で光っていた方がより好ましい場合があるのであるから、筐体２もネオンモードで表示する。
【００７１】
以上の筐体２に表示される画像はあくまで一例であり、様々に変更されてよい。
【００７２】
図９は、図８で示された処理を具体化するフローチャートの一例である。
【００７３】
ステップＳＴ１１において、カメラ部１３は自動的（例えば３０分おき）に撮影を行い、画像情報を取得する。
【００７４】
ステップＳＴ１２において、信号処理部５７は、ステップＳＴ１１で取得した画像情報を映像処理等の解析を行う。
【００７５】
ステップＳＴ１３において、信号処理部５７は、記憶部５６に記憶されている処理設定テーブル（図８参照のこと）を取得する。
【００７６】
ステップＳＴ１４において、処理設定テーブルにおいて設定されている各モードに該当するか判断する。
そして、該当する場合にはステップＳＴ１５の処理に移行する。
該当しない場合には、ステップＳＴ１６の処理に移行する。
【００７７】
ステップＳＴ１５において、信号処理部５７は処理設定テーブルに規定されている状態の画像表示をＬＥＤアレイ６１に行わせる。
【００７８】
ステップＳＴ１６において、処理終了の有無を判断する。そして、処理が終了していない場合にはステップＳＴ１１に再度移行する。
一方、処理終了している場合には処理を終了する。
【００７９】
このようにすることによって、周りの環境に応じた画像表示を自動的に行うことができる。
それによって、ユーザは特段の操作なく、より快適に携帯電話機１を利用することができるという効果を有する。
【００８０】
＜第２の変形例＞
本発明のより有利な変形例を記載する。
【００８１】
図１０は、第２の変形例の説明図である。
【００８２】
以上の実施例では、筐体２の表面の画像を変化させるのはＬＥＤアレイ６１であったが、電子ペーパアレイ６３を筐体２の表面に配置することによることも可能である。
電子ペーパアレイ６３は、電子ペーパアレイドライバ回路６２によって駆動されている。
【００８３】
この方法によると、フロントケース６及びリアケース７を透明とする必要がなくなる。
【００８４】
＜第３の変形例＞
本発明のより有利な変形例を記載する。
【００８５】
図１１は、第３の変形例の説明図である。
【００８６】
図１１のように、携帯電話機１の状態（通信時、待ち受け時、フル充電時、充電残量が少なくなっている時）に応じて、筐体２に表示する画像を変化させることも可能である。
【００８７】
このような処理を、上述した実施形態に加えて行うことによって、ユーザは携帯電話機１の状態を容易に知ることができる。
そして、このことは、ユーザの操作性が向上するという効果がある。
【００８８】
＜第４の変形例＞
本発明のより有利な変形例を記載する。
上述した実施形態においては、カメラ部１３が撮影した画像情報をすぐに使用していたが、過去にカメラ部１３が撮影していた画像情報に基づいてもよい。また、記憶部５６が記憶しているカメラ部１３が撮影していない画像情報に基づいてもよい。
以下に、第４の変形例を説明する。
【００８９】
図１２は、第４の変形例の説明図である。
【００９０】
ステップＳＴ２１において、ユーザは記憶部５６内に記憶されている画像データの中から１つを選択する。
【００９１】
ステップＳＴ２２において、信号処理部５７は、当該画像データがＬＥＤアレイ６１の発光パターンデータか否か判断する。
そして、当該画像データがＬＥＤアレイ６１の発光パターンデータである場合には、ステップＳＴ２４の処理に移行する。
一方、当該画像データがＬＥＤアレイ６１の発光パターンデータでない場合には、ステップＳＴ２３の処理に移行する。
【００９２】
ステップＳＴ２３において、信号処理部５７は発光パターンとなるようにデータ変更処理を行う。
【００９３】
ステップＳＴ２４において、ユーザによる修正処理を受ける。
【００９４】
ステップＳＴ２５において、信号処理部５７はＬＥＤアレイ６１の発光処理を行う。
【００９５】
この様な方法によって、携帯電話機１が記憶している画像情報に基づいて携帯電話機１のデザインを変更することができる。
そのことは、容易にユーザが携帯電話機１のデザインを変更できるという効果を有する。
【００９６】
以上の実施形態によれば、携帯電話機１は、カメラ部１３と、当該カメラ部１３により撮影された第１の画像情報を画像処理して、第２の画像情報を生成する信号処理部５７と、第２の画像情報を記憶する記憶部５６と、を有している。
そして、第２の画像情報を筐体２の複数の面領域に配設されたＬＥＤアレイ６１に表示可能である。
このような構成とすることによって、ユーザはネットでダウンロードして必要な画像情報を得なくても筐体２のデザインを変更することができる。
そしてそのことは、ダウンロードする各種のコスト（料金、時間、通信インフラの消費）
等を低減することができる。
また、ダウンロードする場合には一定の画像情報しか選択できず、必ずしもユーザが望む画像を得ることはできないが、本実施例の方法においては、ユーザは望む画像を携帯電話機１のデザインとすることができる。
さらに、カメラ部１３において撮影した画像を携帯電話機１のデザインとすることができるのであるから、ユーザの持ち物との色や模様を合致させることが極めて容易になる。
さらに、従来は携帯電話機１のデザインを変更するにはフロントケース６及びリアケース７を変更する必要があったが、このような面倒な手間を掛けずに携帯電話機１のデザインを変更することができる。
【００９７】
また、信号処理部５７は、第１の画像情報の特徴を抽出し、抽出した特徴画像を一定間隔に連続して配置する画像処理を行い、第２の画像情報を生成する。
このような構成によって、単なるカメラ部１３による画像情報を、携帯電話機１の筐体２のデザインの画像情報である第２の画像情報に変更することができる。
【００９８】
生成された第２の画像情報は、入力部１０からの入力によって修正可能である。
このような構成によって、ユーザは好みの画像を携帯電話機１の筐体２のデザインの画像情報である第２の画像情報を生成することができる。
【００９９】
また、記憶部５６は、外部環境に対応した表示モードを記憶しており、カメラ部１３は自動的に筐体２の外部画像を撮影し、信号処理部５７は、外部環境画像を画像処理して外部環境を特定し、記憶部５６が記憶している外部環境に対応した表示モードを選択し、表示モードに応じた第２の画像情報を生成し、ＬＥＤアレイ６１は、表示モードに応じた第２の画像情報を表示する。
このような構成によって、周りの環境に応じた画像表示を自動的に行うことができる。
それによって、ユーザはより快適に携帯電話機１を利用することができる
【０１００】
また、信号処理部５７は、少なくとも通信部５１の通信状況及び待ち受け状況に応じた第２の画像情報を生成する。
このような構成によって、ユーザは携帯電話機１の状態を容易に把握することができる。
【０１０１】
また、信号処理部５７は、ＬＥＤアレイ６１の特性に応じて最適な第２の画像情報を生成する。
このような構成によって、解像度が低いＬＥＤアレイ６１や一定の色に対しての発色が悪いＬＥＤアレイ６１であっても適切な筐体２のデザインを提供することができる。
【０１０２】
また、光センサ１４を有し、信号処理部５７は、光センサ１４の検出結果に基づき第２の画像情報を表示するか否かを制御する。
このような構成によって、適切な光量で筐体２に表示される第２の画像情報を表示することが可能となる。
【０１０３】
また、第２の画像情報の表示方法として、常時表示する常時表示モードと間欠的に表示する間欠表示モードとを有する。
このような構成によって、必要な範囲で第２の画像情報を表示させることができる。
このことは、電池容量の節約となる。
【０１０４】
また、筐体面領域表示部はＬＥＤアレイ６１又は電子ペーパアレイ６３により構成される。
このような構成によって、容易に第２の画像情報の表示が可能となる。
特に電子ペーパアレイ６３場合には、フロントケース６及びリアケース７を透明にする必要がないのであるから有利である。
【０１０５】
ＬＥＤアレイ６１及び電子ペーパアレイ６３は筐体面領域表示部の一例である。たとえば、筐体表面領域表示部は筐体２の外部に映像を表示することができるものであればどのようなものであってもよい。
【０１０６】
本発明は、以上の実施形態に限定されず、種々の態様で実施されてよい。
【０１０７】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが２つ折りのものであってもよい。
【符号の説明】
【０１０８】
１…携帯電話機、２…筐体、６…フロントケース、７…リアケース、８…表示部、１０…入力部、１１…右側面、１２…左側面、１３…カメラ部、１４…光センサ、１５…抵抗、１６…ＬＥＤ、２０…内部筐体、２１…プリント基板、２２…バッテリ、２３…バッテリカバー、２４…メタルドーム、２５…固定接点、２６…スイッチ、２７…発光部、２８…バッテリ収納部、３０…キートップ、３１…ラバーベース、３２…キーシート、３３…導光シート、３５…キー開口部、５０…電源制御部、５１…通信部、５３…音声入出力部、５６…記憶部、５７…信号処理部、５８…システムバス、５９…制御部、６０…ＬＥＤアレイドライバ回路、６１…ＬＥＤアレイ（筐体面領域表示部）、６２…電子ペーパアレイドライバ回路、６３…電子ペーパアレイ（筐体面領域表示部）
【図１】
0005399159.tif 000002
【図２】
0005399159.tif 000003
【図３】
0005399159.tif 000004
【図４】
0005399159.tif 000005
【図５】
0005399159.tif 000006
【図６】
0005399159.tif 000007
【図７】
0005399159.tif 000008
【図８】
0005399159.tif 000009
【図９】
0005399159.tif 000010
【図１０】
0005399159.tif 000011
【図１１】
0005399159.tif 000012
【図１２】
0005399159.tif 000013